【手続補正書】
【提出日】平成28年4月11日(2016.4.11)
【手続補正１】
【補正対象書類名】特許請求の範囲
【補正対象項目名】全文
【補正方法】変更
【補正の内容】
【特許請求の範囲】
【請求項１】
カーボンナノチューブを作製する方法であって、
フィードガスを触媒により反応器中でボッシュ反応において反応させてカーボンナノチューブを形成するステップと、
反応器から反応器流出物を排出するステップと、
反応器流出物から生成物カーボンナノチューブを分離し、残留カーボンナノチューブを含む廃ガスストリームを形成するステップと、
熱交換器を介して、廃ガスストリームからの廃熱によりフィードガスを加熱するステップと、
廃ガスストリーム中の水を凝縮して水ストリームを得るステップと、
水ストリームからカーボンナノチューブを除去するステップと、
水ストリーム内のカーボンナノチューブから炭素酸化物を形成して精製水ストリームを得るステップと
を含む方法。
【請求項２】
空気スパージングプロセスを用いて、水ストリーム内のカーボンナノチューブから炭素酸化物を形成するステップを含み、反応器が流動床反応器を含む、請求項１に記載の方法。
【請求項３】
カーボンナノチューブを除去するステップが、凝集剤を水ストリームに加えて、水ストリームからのカーボンナノチューブの分離を行うステップを含む、請求項１に記載の方法。
【請求項４】
カーボンナノチューブから炭素酸化物を形成するステップが、オゾンストリームを水ストリームと混合するステップを含む、請求項１に記載の方法。
【請求項５】
カーボンナノチューブを除去するステップが、ハイドロサイクロンを用いて、水ストリームからカーボンナノチューブを除去するステップを含む、請求項１に記載の方法。
【請求項６】
カーボンナノチューブを除去するステップが、逆浸透プロセスによって、水ストリームからカーボンナノチューブをろ別するステップを含む、請求項１に記載の方法。
【請求項７】
炭素酸化物を形成するステップが、酸化プロセスによって、水ストリーム内のカーボンナノチューブから炭素酸化物を形成するステップを含む、請求項１に記載の方法。
【請求項８】
炭素酸化物を形成するステップが、水中バーナーを用いて、カーボンナノチューブを分解させるための水中火炎を生成するステップを含む、請求項１に記載の方法。
【請求項９】
火炎分解容器を用いて、蒸気の形成によって、水ストリームからカーボンナノチューブを除去するステップを含む、請求項１に記載の方法。
【請求項１０】
熱交換器を用いて、凝縮プロセスによって蒸気から水ストリームの少なくとも一部を回収するステップを含む、請求項９に記載の方法。
【請求項１１】
カーボンナノチューブを除去するステップが、ろ過プロセスによって、水ストリームからカーボンナノチューブを除去するステップを含む、請求項１に記載の方法。
【請求項１２】
廃ガスストリーム中の水を凝縮するステップが、冷却プロセスを含む、請求項１に記載の方法。
【請求項１３】
カーボンナノチューブを除去するステップが、分子篩を用いて、水ストリームからカーボンナノチューブを除去するステップを含む、請求項１に記載の方法。
【請求項１４】
カーボンナノチューブを除去するステップが、ゼオライトを用いて、水ストリームからカーボンナノチューブを除去するステップを含む、請求項１に記載の方法。
【請求項１５】
分離容器を介して、廃ガスストリームから凝縮水を分離して水ストリームを得るステップと、
分離容器からの水ストリームを、水ストリームからカーボンナノチューブを除去するための精製システムに流すステップと、
精製システムから精製水ストリーム及び廃ストリームを排出するステップと
を含む請求項１に記載の方法。
【請求項１６】
カーボンナノチューブを作製するためのシステムであって、
フィードガスを触媒によりボッシュ反応において反応させてカーボンナノチューブを形成し、反応器流出物を排出する反応器と、
反応器流出物から生成物カーボンナノチューブを分離し、廃ガスストリームを残す分離器と、
廃ガスストリームからの廃熱によりフィードガスを加熱する熱交換器と、
廃ガスストリーム中の水を凝縮して水ストリームを得る別の熱交換器と、
水ストリームからカーボンナノチューブを除去するための精製システムであって、精製容器を含み、水ストリーム内のカーボンナノチューブから炭素酸化物を形成して、水ストリームからカーボンナノチューブを除去し、精製水ストリームを排出するように構成されている精製システムと
を含むシステム。
【請求項１７】
精製容器が、注入された空気を用いてきれいな水相から分離できるフロス相を形成することによって、水ストリームからカーボンナノチューブを除去するように構成された空気スパージ容器を含む、請求項１６に記載のシステム。
【請求項１８】
反応器が流動床反応器を含み、精製システムが、水ストリーム中に凝集剤を注入するように構成されており、凝集剤が、水ストリームからのカーボンナノチューブの除去をもたらす、請求項１６に記載のシステム。
【請求項１９】
分離器がサイクロン式分離器を含み、精製システムが、オゾン分解プロセスによって、水ストリーム内のカーボンナノチューブから炭素酸化物を形成するように構成されている、請求項１６に記載のシステム。
【請求項２０】
水ストリームを精製容器中に流す前に、水ストリームから大きなカーボンナノチューブを除去するためのハイドロサイクロンを含む、請求項１６に記載のシステム。
【請求項２１】
精製システムが、逆浸透プロセスによって、水ストリームからカーボンナノチューブを除去するのを容易にする半透膜を含む、請求項１６に記載のシステム。
【請求項２２】
精製容器が、カーボンナノチューブを分解させるための水中火炎を生成して炭素酸化物を形成する水中バーナーを含む、請求項１６に記載のシステム。
【請求項２３】
精製容器が、蒸気の形成によって、水ストリームからカーボンナノチューブを除去するように構成された火炎分解容器を含む、請求項１６に記載のシステム。
【請求項２４】
前記別の熱交換器の下流に、廃ガスストリームから凝縮水を除去して水ストリームを得る分離容器を含む、請求項１６に記載のシステム。
【請求項２５】
カーボンナノチューブを含む水ストリームを精製するステップを含むカーボンナノチューブを作製するための方法であって、
フィードガスを触媒により反応器中でボッシュ反応において反応させてカーボンナノチューブを形成するステップと、
反応器から反応器流出物を排出するステップと、
反応器流出物から生成物カーボンナノチューブを分離し、残留カーボンナノチューブを含む廃ガスストリームを形成するステップと、
廃ガスストリーム中の水を凝縮して水ストリームを得るステップと、
水ストリームを精製容器中に流すステップと、
化学物質を精製容器に注入するステップと、
精製容器内での前記化学物質とカーボンナノチューブの相互作用によって、水ストリームからのカーボンナノチューブの分離を行うステップと
を含む方法。
【請求項２６】
熱交換器を介して、廃ガスストリームからの廃熱によりフィードガスを加熱するステップを含み、反応器が流動床反応器を含み、前記化学物質が空気を含み、水ストリームからのカーボンナノチューブの分離を行うステップが、空気スパージングプロセスによってカーボンナノチューブの除去を行うステップを含む、請求項２５に記載の方法。
【請求項２７】
精製システムから精製水ストリーム及び廃ストリームを排出するステップを含み、前記化学物質が凝集剤を含み、水ストリームからのカーボンナノチューブの分離を行うステップが、精製容器内での凝集剤とカーボンナノチューブの相互作用によって、カーボンナノチューブを除去するステップを含む、請求項２５に記載の方法。
【請求項２８】
前記化学物質がオゾンを含み、水ストリームからのカーボンナノチューブの分離を行うステップが、オゾン分解プロセスによって、水ストリームからカーボンナノチューブを除去するステップを含む、請求項２５に記載の方法。
【請求項２９】
カーボンナノチューブを、堰を超えて捕集容器中へ流すことによって、精製容器からカーボンナノチューブを除去するステップを含む、請求項２５に記載の方法。